(57)【要約】【課題】取付鍔板が平面に沿った形状である既成のスピーカーを木樽形のキャビネットに密着して取り付け、その間に音洩れのないスピーカーシステムを提供する。【解決手段】洋酒樽形のキャビネットにおいて、その膨出して湾曲する樽板にスピーカーの取付穴を穿設し、取付穴は、スピーカー本体が通る本穴と、その周囲においてスピーカーの鍔板が落ち込む段差穴とを設けてなり、段差穴の底面を全周にわたって同一平面上の面一に形成し、鍔板を段差穴の底面にねじ止めして、洋酒樽形であるキャビネットにスピーカーを取り付けた。【選択図】    図１
0003136582.tif 000002
【実用新案登録請求の範囲】
【請求項１】
洋酒樽形のキャビネットにおいて、その膨出して湾曲する樽板にスピーカーの取付穴を穿設し、取付穴は、スピーカー本体が通る本穴と、その周囲においてスピーカーの鍔板が落ち込む段差穴とを設けてなり、段差穴の底面を全周にわたって同一平面上の面一に形成し、鍔板を段差穴の底面にねじ止めして、洋酒樽形であるキャビネットにスピーカーを取り付けたことを特徴とするスピーカーシステム。
【考案の詳細な説明】
【技術分野】
【０００１】
この考案は、音響を発生するスピーカーを空洞のキャビネットに取り付けてなるスピーカーシステムに関する。
【背景技術】
【０００２】
この種のスピーカーシステムは、キャビネットの容量により音質が奥深くなるために、スピーカー単独で音の発生が可能であるにも係わらず、それをキャビネットに取りつけたものが、オーディオシステムにおいて取り入れられる。
【０００３】
従来のキャビネットは、箱型であってその前面にスピーカーの取付穴が設けれられる。また、スピーカーには、前面に鍔板が設けれているので、これを取りつけるには、スピーカー本体を取付穴に差し込むことによりキャビネットの前面に鍔板を当て、鍔板を数カ所でねじでキャビネットの前面に止めていた。したがって、従来のスピーカーは、その取付け鍔板が箱型の垂直平面に当たる平面に沿った形状であって、湾曲面に沿ったような複雑な形状ではなかった。
【考案の開示】
【考案が解決しようとする課題】
【０００４】
ところで、本出願人等においては、キャビネットに樽を使用するなら、箱型である場合に比して雄大な音量となる知見を得た（この点については後述する）。しかしながら、従来の既成のスピーカーでは、取付鍔板が平面に沿った平面形状であったから、それを樽のような胴部湾曲面に当接することができなく、たとえ無理にねじ止めしたとしても隙間が生じるために音漏れが生じることになる。また、取付鍔板を樽の湾曲面に合わせて造るとなれば特殊なために、スピーカーがコスト高となることは避けられない。
【０００５】
この考案は、上記のような実情に鑑みて、取付鍔板が平面に沿った形状である既成のスピーカーを木樽形のキャビネットに密着して取り付け、その間に音洩れのないスピーカーシステムを提供することを課題とした。
【課題を解決するための手段】
【０００６】
上記の課題を解決するために、この考案は、洋酒樽形のキャビネットにおいて、その膨出して湾曲する樽板にスピーカーの取付穴を穿設し、取付穴は、スピーカー本体が通る本穴と、その周囲においてスピーカーの鍔板が落ち込む段差穴とを設けてなり、段差穴の底面を全周にわたって同一平面上の面一に形成し、鍔板を段差穴の底面にねじ止めして、洋酒樽形であるキャビネットにスピーカーを取り付けたことを特徴とするスピーカーシステムを提供するものである。
【０００７】
スピーカーシステムを上記のように構成したから、キャビネットにスピーカーを取り付ける箇所が洋酒の樽形の膨出面であっても、鍔板が同一平面である既成のスピーカーを用いることができ、その取り付けについては、鍔板が落ち込む段差穴の底面に鍔板が密着してねじ止めされる。
【考案の効果】
【０００８】
以上説明したように、この考案のスピーカーシステムによれば、段差穴の底面に鍔板が密着してねじ止めされるので、キャビネットが洋酒の樽形であっても、音漏れもなく良質の音質が得られる。また、洋酒を楽しむ場に設置すればその場の雰囲気を演出するのに適することはもちろん、樽の膨出した曲面による音の放射性から生まれる音の立体感、奥行き感が得られるという優れた効果がある。
【考案を実施するための最良の形態】
【０００９】
次に、この考案を実施形態を図面に基づいて説明する。
【００１０】
図１ないし図３は一実施形態を示したもので、そのスピーカーシステムＰａは、キャビネット１に木製の樽を使用し、それにスピーカー３を取り付けることにより構成される。図１は、棚５に音響機器を配置したステレオシステムを示し、上段に左右一対のスピーカーシステムＰａ，Ｐａをステレオに配置してある。７はステレオアンプ、８はステレオチューナである。
【００１１】
キャビネット１は、洋酒が仕込まれる膨出胴形の樽であって、円形の底板９と蓋板１１の周囲に湾曲した多数の樽板１０を並べてリング状の締め金１３で締めたもので、上下に一対ずつ締め金１３，１３を設けて、中腹部が樽板１０のみが露出し、そこにスピーカー３の取付穴１５が設けられる。
【００１２】
樽としての形状は、平行面が底板９と蓋板１１との２面であり、その間が膨出した曲面であるので、曲面による音の放射性から生まれる音の立体感、奥行き感が得られる。また、録音内容にもよるが、映画などで前から後ろへの音の移動感が表現してあるとそれが際立って感じ取れ、特に、後に記すような一対のスピーカー３，３のスピーカーシステムＰｂの場合であるとそれが顕著となる。
【００１３】
スピーカー３は、スピーカー本体１７の前面にリング状の鍔板１９を取り付けてなり、既成のスピーカー３であるため、鍔板１９が同一平面上に広がるストレート面に形成される。また、鍔板１９は、円形に近い四角形であって、四隅に取付ねじ２０，２０，・・の通し穴２５，２５，・・が設けられる。
【００１４】
取付穴１５は、スピーカー本体１７が抜ける本穴１６の周囲に鍔板１９が落ち込む段差穴２２が形成されてなり、段差穴２２の底面２３を同一平面に沿って全周にわたって面一に形成される。そして、鍔板１９に有する前記通し穴２５，２５，・・に対応して取付ねじ２０，２０，・・の螺入穴２７，２７，・・が設けられる。
【００１５】
キャビネット１の樽背後の下には、ステレオシステムの配線が接続されるターミナル２８を設け、スピーカー本体１７からの配線２９，２９は、そのターミナル２８に接続される。また、キャビネット１の内部にはガラスウール等の吸音材３０が充填される。
【００１６】
図４は、他の実施形態を示したもので、そのスピーカーシステムＰｂは、同じくキャビネット１が洋酒の樽形であって、その高さ中間部の位置に、左右一対のスピーカー３，３を取り付け、ステレオ型式としてある。また、上端には、装飾として疑似コック３２が取り付けてある。
【００１７】
一つの樽に左右１対のスピーカー３，３を配置するこのようなステレオ型式としたときにも、従来一般的なステレオ配置に劣らない優れた音響効果がえられる。その理由は、２個のスピーカー３，３が樽の中心から互いに開く放射方向に向いているからである。特に、その開き角度が４５度であるときに調和の取れたステレオ効果が得られることが数多くの実験結果から分かった。
【００１８】
したがって、商用として大きな店内に設置するときは、このような１樽をステレオとしたものを最適なものとして勧められる。なぜなら、これまで広い店内では左又は右に近い客はどちらかのチャンネルの音しか聞こえなかったけれども、そのような弊害が無くなるからである。しかし、１個のスピーカーシステムＰｂを中央に置けないカウンターバーならば、左右両端に１個ずつ設置しても従来の場合よりもステレオ効果が倍増しても劣ることは決してない。なお、この場合（２個のスピーカーシステムＰｂ、Ｐｂの配置の場合）、端子板の併用で１個のアンプの使用が可能であるが、ステレオ効果がこれで劣ることはない。
【００１９】
一対のスピーカー３，３によるスピーカーシステムＰｂでは、聞く位置が自由になる家庭で一人か二人のオーディオ鑑賞に適していることはもちろんであるが、音の拡散性の良さで聞くのに適切な場所は以外と広い範囲となるので、聞く位置に制約を受けないことも特徴である。なお、大切なことは、裏のスピーカーの背圧を抜くポートである。
【００２０】
図５は、さらに他の実施形態を示したもので、この場合は、２ウエイ方式のスピーカーシステムＰｃであって、洋酒形のキャビネット１に、例えば、高音と低音というように音質の異なる上下一対のスピーカー３，３が取り付けられる。
【００２１】
上記両スピーカーシステムＰｂ，Ｐｃは、最初の実施形態と同様に、取付穴１５に段差穴２２を設けて鍔板１９を埋め込みにして取り付けられているので、音量の洩れがなく良好な音質が得られる。
【図面の簡単な説明】
【００２２】
【図１】この考案のスピーカーシステムの使用状態を示す正面図である。
【図２】同スピーカーシステムの縦断面図である。
【図３】同スピーカーシステムの分解斜視図である。
【図４】他の実施形態を示すスピーカーシステムの正面図である。
【図５】さらに他の実施形態を示すスピーカーシステムの正面図である。
【符号の説明】
【００２３】
１  キャビネット
３  スピーカー
１０  樽板
１５  取付穴
１６  本穴
１７  スピーカー本体
１９  鍔板
２０  ねじ
２２  段差穴
２３  底面
【図１】
0003136582.tif 000003
【図２】
0003136582.tif 000004
【図３】
0003136582.tif 000005
【図４】
0003136582.tif 000006
【図５】
0003136582.tif 000007